【手続補正書】
【提出日】平成24年9月26日(2012.9.26)
【手続補正１】
【補正対象書類名】特許請求の範囲
【補正対象項目名】全文
【補正方法】変更
【補正の内容】
【特許請求の範囲】
【請求項１】
歯形模型が固定される固定用プレートと、前記固定用プレートの下面に所定方向に間隔を置いて植設された複数のダウエルピンと、前記固定用プレートを支持するための支持基台と、を備えた歯科技工用作業模型であって、
前記支持基台の上面には、前記複数のダウエルピンが挿入される複数の挿入孔が所定方向に間隔を置いて設けられ、前記支持基台の上面には上方に突出する複数の突部が間隔を置いて設けられ、前記複数の突部の配置間隔は、前記複数の挿入孔の配置間隔よりも短く構成され、また前記固定用プレートの下面には、上方に延びる複数の凹部が間隔を置いて設けられ、前記複数の凹部の配置間隔は、前記複数のダウエルピンの配置間隔よりも短く構成されており、
前記固定用プレートが前記支持基台の上面に支持されると、前記複数の突部と前記複数の凹部とが相互に係合されることを特徴とする歯科技工用作業模型。
【請求項２】
前記複数の突部は前記支持基台の上面における両側縁よりも内側に離れた部位に配設され、前記複数の凹部は前記固定用プレートの下面における両側縁よりも内側に離れた部位に配設されていることを特徴とする請求項１に記載の歯科技工用作業模型。
【請求項３】
前記複数の突部は前記複数の挿入孔の両側に設けられ、前記複数の凹部は前記ダウエルピンの両側に設けられていることを特徴とする請求項１又は２に記載の歯科技工用作業模型。
【請求項４】
歯形模型が固定される固定用プレートと、前記固定用プレートに植設されたダウエルピンと、前記固定用プレートを支持するための支持基台と、を備えた歯科技工用作業模型であって、
前記支持基台の上面には、前記ダウエルピンが挿入される挿入孔が設けられ、前記支持基台の上面における相互に対向する両側縁の一方には、上方に突出する係合用突部が設けられ、前記係合用突部の内側部には複数の第１突状部が間隔を置いて設けられ、前記複数の第１突状部の間にはそれぞれ第１凹状部が規定され、また前記支持基台の上面における相互に対向する両側縁の他方よりも内側に離れた部位には係合用補助突部が設けられ、これに対応して、前記固定用プレートの下面における相互に対向する両側縁の一方には、上方に延びる係合用凹部が設けられ、前記係合用凹部の内側部には複数の第２突状部が間隔を置いて設けられ、前記複数の第２突状部の間にはそれぞれ第２凹状部が規定され、また前記固定用プレートの下面における相互に対向する両側縁の他方よりも内側に離れた部位には係合用補助凹部が設けられており、
前記固定用プレートが前記支持基台の上面に支持されると、前記係合用突部の前記第１突状部及び前記第１凹状部がそれぞれ、前記係合用凹部の前記第２凹状部及び前記第２突状部と相互に係合されるとともに、前記係合用補助突部と前記係合用補助凹部とが相互に係合されることを特徴とする歯科技工用作業模型。
【請求項５】
前記歯形模型は全顎タイプであり、これに対応して、前記固定用プレート及び前記支持基台の上面はそれぞれ弧状に延びており、
前記係合用突部は、前記支持基台の上面における外周縁に設けられ、また前記係合用補助突部は、前記支持基台の上面における内周縁よりも内側に離れた部位に設けられ、これに対応して、前記係合用凹部は、前記固定用プレートの下面における外周縁に設けられ、また前記係合用補助凹部は、前記固定用プレートの下面における内周縁よりも内側に離れた部位に設けられていることを特徴とする請求項４に記載の歯科技工用作業模型。
【請求項６】
前記支持基台の上面における内周縁には、上方に突出する係合用突条が設けられ、これに対応して、前記固定用プレートの下面における内周縁には、上方に延びる係合用凹条が設けられており、
前記固定用プレートが前記支持基台の上面に支持されると、前記係合用突条と前記係合用凹条とが相互に係合されることを特徴とする請求項５に記載の歯科技工用作業模型。
【請求項７】
前記歯形模型は部分タイプであり、これに対応して、前記固定用プレート及び前記支持基台の上面はそれぞれ横長に形成され、
前記支持基台の上面における相互に対向する両側縁の他方には、上方に突出する係合用突条が設けられ、これに対応して、前記固定用プレートの下面における相互に対向する両側縁の他方には、上方に延びる係合用凹条が設けられており、
前記固定用プレートが前記支持基台の上面に支持されると、前記係合用突条と前記係合用凹条とが相互に係合されることを特徴とする請求項４に記載の歯科技工用作業模型。
【請求項８】
前記係合用補助突部及び前記係合用補助凹部はそれぞれ複数設けられ、前記複数の係合用補助突部は、前記係合用突部に対して略平行に且つ間隔を置いて配置され、前記複数の係合用補助凹部は、前記係合用凹部に対して略平行に且つ間隔を置いて配置されていることを特徴とする請求項４〜７のいずれかに記載の歯科技工用作業模型。
【請求項９】
前記係合用突部の前記第１突状部には、内側に向けて下り傾斜する傾斜面が形成され、これに対応して、前記係合用凹部の前記第２凹状部には、内側に向けて下り傾斜する傾斜面が形成されていることを特徴とする請求項４〜８のいずれかに記載の歯科技工用作業模型。
【請求項１０】
前記係合用突部の前記第１凹状部には、内側に向けて下り傾斜する傾斜面が形成され、これに対応して、前記係合用凹部の前記第２突状部には、内側に向けて下り傾斜する傾斜面が形成されていることを特徴とする請求項４〜９の何れかに記載の歯科技工用作業模型。
【請求項１１】
前記第１突状部に形成された傾斜面の鉛直方向に対する傾斜角度は４０〜６０°であり、また前記第１凹状部に形成された傾斜面の鉛直方向に対する傾斜角度は５〜１５°であることを特徴とする請求項１０に記載の歯科技工用作業模型。
【請求項１２】
前記固定用プレートは、前記ダウエルピンが植設された第１プレート部と、前記ダウエルピンが植設されない第２プレート部と、を備え、
前記第１プレート部が支持される部位においては、前記係合用突部の前記第１突状部及び前記係合用凹部の前記第２凹状部にはそれぞれ、内側に向けて下り傾斜する傾斜面が形成され、また前記第２プレート部が支持される部位においては、前記係合用突部の前記第１突状部及び前記係合用凹部の前記第２凹状部にはそれぞれ、内側に向けて上り傾斜する傾斜面又は鉛直方向に延びる鉛直面が形成されていることを特徴とする請求項４〜８の何れかに記載の歯科技工用作業模型。
【請求項１３】
前記固定用プレートは、前記ダウエルピンが植設された第１プレート部と、前記ダウエルピンが植設されない第２プレート部と、を備え、
前記第１プレート部が支持される部位においては、前記係合用突部の前記第１突状部及び前記第１凹状部並びに前記係合用凹部の前記第２凹状部及び前記第２突状部にはそれぞれ、内側に向けて下り傾斜する傾斜面が形成され、また前記第２プレート部が支持される部位においては、前記係合用突部の前記第１突状部及び前記第１凹状部並びに前記係合用凹部の前記第２凹状部及び前記第２突状部にはそれぞれ、内側に向けて上り傾斜する傾斜面又は鉛直方向に延びる鉛直面が形成されていることを特徴とする請求項４〜８の何れかに記載の歯科技工用作業模型。
【請求項１４】
歯形模型が固定される固定用プレートと、前記固定用プレートに植設されたダウエルピンと、前記固定用プレートを支持するための支持基台と、を備えた歯科技工用作業模型であって、
前記支持基台の上面には、前記ダウエルピンが挿入される挿入孔が設けられ、前記支持基台の上面における相互に対向する両側縁にはそれぞれ、上方に突出する係合用突条が設けられ、前記支持基台の上面における前記一対の係合用突条の間には複数の係合用補助突部が設けられ、前記複数の係合用補助突部は、前記係合用突条に対して略平行に且つ間隔を置いて配置され、これに対応して、前記固定用プレートの下面における相互に対向する両側縁にはそれぞれ、上方に延びる係合用凹条が設けられ、前記固定用プレートの下面における前記一対の係合用凹部の間には複数の係合用補助凹部が設けられ、前記複数の係合用補助凹部は、前記係合用凹条に対して略平行に且つ間隔を置いて配置されており、
前記固定用プレートが前記支持基台の上面に支持されると、前記一対の係合用突条と前記一対の係合用凹条とが相互に係合されるとともに、前記複数の係合用補助突部と前記複数の係合用補助凹部とが相互に係合されることを特徴とする歯科技工用作業模型。
【請求項１５】
前記複数の係合用補助突部は、前記支持基台の上面における前記一対の係合用突条の各々と前記挿入孔との間にそれぞれ設けられ、前記複数の係合用補助凹部は、前記固定用プレートの下面における前記一対の係合用凹部の各々と前記ダウエルピンとの間にそれぞれ設けられていることを特徴とする請求項１４に記載の歯科技工用作業模型。
【請求項１６】
歯形模型が固定されるとともにダウエルピンが植設された固定用プレートを支持するための支持基台であって、
前記固定用プレートを下方より支持する支持基台本体を備え、前記支持基台本体の上面には、前記固定用プレートの前記ダウエルピンが挿入される挿入孔が設けられ、前記支持基台本体の上面における相互に対向する両側縁の一方には、上方に突出する係合用突部が設けられ、前記係合用突部の内側部には複数の第１突状部が間隔を置いて設けられ、前記複数の第１突状部の間にはそれぞれ第１凹状部が規定され、また前記支持基台の上面における相互に対向する両側縁の他方よりも内側に離れた部位には係合用補助突部が設けられており、
前記固定用プレートが前記支持基台本体の上面に支持されると、前記支持基台本体の前記係合用突部と前記固定用プレートの下面における相互に対向する両側縁の一方に設けられた係合用凹部とが相互に係合され、これにより前記係合用突部の前記第１凹状部は、前記係合用凹部の内側部に間隔を置いて複数設けられた第２突状部と相互に係合されるとともに、前記係合用突部の前記第１突状部は、前記複数の第２突状部の間にそれぞれ規定された第２凹状部と相互に係合され、更に、前記支持基台本体の前記係合用補助突部と前記固定用プレートの下面における相互に対向する両側縁の他方よりも内側に離れた部位に設けられた係合用補助凹部とが相互に係合されることを特徴とする支持基台。
【手続補正２】
【補正対象書類名】明細書
【補正対象項目名】０００８
【補正方法】変更
【補正の内容】
【０００８】
本発明の請求項１に記載の歯科技工用作業模型では、歯形模型が固定される固定用プレートと、前記固定用プレートの下面に所定方向に間隔を置いて植設された複数のダウエルピンと、前記固定用プレートを支持するための支持基台と、を備えた歯科技工用作業模型であって、
前記支持基台の上面には、前記複数のダウエルピンが挿入される複数の挿入孔が所定方向に間隔を置いて設けられ、前記支持基台の上面には上方に突出する複数の突部が間隔を置いて設けられ、前記複数の突部の配置間隔は、前記複数の挿入孔の配置間隔よりも短く構成され、また前記固定用プレートの下面には、上方に延びる複数の凹部が間隔を置いて設けられ、前記複数の凹部の配置間隔は、前記複数のダウエルピンの配置間隔よりも短く構成されており、
前記固定用プレートが前記支持基台の上面に支持されると、前記複数の突部と前記複数の凹部とが相互に係合されることを特徴とする。
本発明の請求項２に記載の歯科技工用作業模型では、前記複数の突部は前記支持基台の上面における両側縁よりも内側に離れた部位に配設され、前記複数の凹部は前記固定用プレートの下面における両側縁よりも内側に離れた部位に配設されていることを特徴とする。
本発明の請求項３に記載の歯科技工用作業模型では、前記複数の突部は前記複数の挿入孔の両側に設けられ、前記複数の凹部は前記ダウエルピンの両側に設けられていることを特徴とする。
本発明の請求項４に記載の歯科技工用作業模型では、歯形模型が固定される固定用プレートと、前記固定用プレートに植設されたダウエルピンと、前記固定用プレートを支持するための支持基台と、を備えた歯科技工用作業模型であって、
前記支持基台の上面には、前記ダウエルピンが挿入される挿入孔が設けられ、前記支持基台の上面における相互に対向する両側縁の一方には、上方に突出する係合用突部が設けられ、前記係合用突部の内側部には複数の第１突状部が間隔を置いて設けられ、前記複数の第１突状部の間にはそれぞれ第１凹状部が規定され、また前記支持基台の上面における相互に対向する両側縁の他方よりも内側に離れた部位には係合用補助突部が設けられ、これに対応して、前記固定用プレートの下面における相互に対向する両側縁の一方には、上方に延びる係合用凹部が設けられ、前記係合用凹部の内側部には複数の第２突状部が間隔を置いて設けられ、前記複数の第２突状部の間にはそれぞれ第２凹状部が規定され、また前記固定用プレートの下面における相互に対向する両側縁の他方よりも内側に離れた部位には係合用補助凹部が設けられており、
前記固定用プレートが前記支持基台の上面に支持されると、前記係合用突部の前記第１突状部及び前記第１凹状部がそれぞれ、前記係合用凹部の前記第２凹状部及び前記第２突状部と相互に係合されるとともに、前記係合用補助突部と前記係合用補助凹部とが相互に係合されることを特徴とする。
【手続補正３】
【補正対象書類名】明細書
【補正対象項目名】０００９
【補正方法】変更
【補正の内容】
【０００９】
また、本発明の請求項５に記載の歯科技工用作業模型では、前記歯形模型は全顎タイプであり、これに対応して、前記固定用プレート及び前記支持基台の上面はそれぞれ弧状に延びており、
前記係合用突部は、前記支持基台の上面における外周縁に設けられ、また前記係合用補助突部は、前記支持基台の上面における内周縁よりも内側に離れた部位に設けられ、これに対応して、前記係合用凹部は、前記固定用プレートの下面における外周縁に設けられ、また前記係合用補助凹部は、前記固定用プレートの下面における内周縁よりも内側に離れた部位に設けられていることを特徴とする。
【手続補正４】
【補正対象書類名】明細書
【補正対象項目名】００１０
【補正方法】変更
【補正の内容】
【００１０】
また、本発明の請求項６に記載の歯科技工用作業模型では、前記支持基台の上面における内周縁には、上方に突出する係合用突条が設けられ、これに対応して、前記固定用プレートの下面における内周縁には、上方に延びる係合用凹条が設けられており、
前記固定用プレートが前記支持基台の上面に支持されると、前記係合用突条と前記係合用凹条とが相互に係合されることを特徴とする。
【手続補正５】
【補正対象書類名】明細書
【補正対象項目名】００１１
【補正方法】変更
【補正の内容】
【００１１】
また、本発明の請求項７に記載の歯科技工用作業模型では、前記歯形模型は部分タイプであり、これに対応して、前記固定用プレート及び前記支持基台の上面はそれぞれ横長に形成されており、
前記支持基台の上面における相互に対向する両側縁の他方には、上方に突出する係合用突条が設けられ、これに対応して、前記固定用プレートの下面における相互に対向する両側縁の他方には、上方に延びる係合用凹条が設けられており、前記固定用プレートが前記支持基台の上面に支持されると、前記係合用突条と前記係合用凹条とが相互に係合されることを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
また、本発明の請求項８に記載の歯科技工用作業模型では、前記係合用補助突部及び前記係合用補助凹部はそれぞれ複数設けられ、前記複数の係合用補助突部は、前記係合用突部に対して略平行に且つ間隔を置いて配置され、前記複数の係合用補助凹部は、前記係合用凹部に対して略平行に且つ間隔を置いて配置されていることを特徴とする。
【手続補正８】
【補正対象書類名】明細書
【補正対象項目名】００１４
【補正方法】変更
【補正の内容】
【００１４】
また、本発明の請求項９に記載の歯科技工用作業模型では、前記係合用突部の前記第１突状部には、内側に向けて下り傾斜する傾斜面が形成され、これに対応して、前記係合用凹部の前記第２凹状部には、内側に向けて下り傾斜する傾斜面が形成されていることを特徴とする。
【手続補正９】
【補正対象書類名】明細書
【補正対象項目名】００１５
【補正方法】変更
【補正の内容】
【００１５】
また、本発明の請求項１０に記載の歯科技工用作業模型では、前記係合用突部の前記第１凹状部には、内側に向けて下り傾斜する傾斜面が形成され、これに対応して、前記係合用凹部の前記第２突状部には、内側に向けて下り傾斜する傾斜面が形成されていることを特徴とする。
【手続補正１０】
【補正対象書類名】明細書
【補正対象項目名】００１６
【補正方法】変更
【補正の内容】
【００１６】
また、本発明の請求項１１に記載の歯科技工用作業模型では、前記第１突状部に形成された傾斜面の鉛直方向に対する傾斜角度は４０〜６０°であり、また前記第１凹状部に形成された傾斜面の鉛直方向に対する傾斜角度は５〜１５°であることを特徴とする。
【手続補正１１】
【補正対象書類名】明細書
【補正対象項目名】００１７
【補正方法】変更
【補正の内容】
【００１７】
また、本発明の請求項１２に記載の歯科技工用作業模型では、前記固定用プレートは、前記ダウエルピンが植設された第１プレート部と、前記ダウエルピンが植設されない第２プレート部と、を備え、
前記第１プレート部が支持される部位においては、前記係合用突部の前記第１突状部及び前記係合用凹部の前記第２凹状部にはそれぞれ、内側に向けて下り傾斜する傾斜面が形成され、また前記第２プレート部が支持される部位においては、前記係合用突部の前記第１突状部及び前記係合用凹部の前記第２凹状部にはそれぞれ、内側に向けて上り傾斜する傾斜面又は鉛直方向に延びる鉛直面が形成されていることを特徴とする。
【手続補正１２】
【補正対象書類名】明細書
【補正対象項目名】００１８
【補正方法】変更
【補正の内容】
【００１８】
また、本発明の請求項１３に記載の歯科技工用作業模型では、前記固定用プレートは、前記ダウエルピンが植設された第１プレート部と、前記ダウエルピンが植設されない第２プレート部と、を備え、
前記第１プレート部が支持される部位においては、前記係合用突部の前記第１突状部及び前記第１凹状部並びに前記係合用凹部の前記第２凹状部及び前記第２突状部にはそれぞれ、内側に向けて下り傾斜する傾斜面が形成され、また前記第２プレート部が支持される部位においては、前記係合用突部の前記第１突状部及び前記第１凹状部並びに前記係合用凹部の前記第２凹状部及び前記第２突状部にはそれぞれ、内側に向けて上り傾斜する傾斜面又は鉛直方向に延びる鉛直面が形成されていることを特徴とする。
【手続補正１３】
【補正対象書類名】明細書
【補正対象項目名】００１９
【補正方法】変更
【補正の内容】
【００１９】
また、本発明の請求項１４に記載の歯科技工用作業模型では、歯形模型が固定される固定用プレートと、前記固定用プレートに植設されたダウエルピンと、前記固定用プレートを支持するための支持基台と、を備えた歯科技工用作業模型であって、
前記支持基台の上面には、前記ダウエルピンが挿入される挿入孔が設けられ、前記支持基台の上面における相互に対向する両側縁にはそれぞれ、上方に突出する係合用突条が設けられ、前記支持基台の上面における前記一対の係合用突条の間には複数の係合用補助突部が設けられ、前記複数の係合用補助突部は、前記係合用突条に対して略平行に且つ間隔を置いて配置され、これに対応して、前記固定用プレートの下面における相互に対向する両側縁にはそれぞれ、上方に延びる係合用凹条が設けられ、前記固定用プレートの下面における前記一対の係合用凹部の間には複数の係合用補助凹部が設けられ、前記複数の係合用補助凹部は、前記係合用凹条に対して略平行に且つ間隔を置いて配置されており、
前記固定用プレートが前記支持基台の上面に支持されると、前記一対の係合用突条と前記一対の係合用凹条とが相互に係合されるとともに、前記複数の係合用補助突部と前記複数の係合用補助凹部とが相互に係合されることを特徴とする。
【手続補正１４】
【補正対象書類名】明細書
【補正対象項目名】００２０
【補正方法】変更
【補正の内容】
【００２０】
また、本発明の請求項１５に記載の歯科技工用作業模型では、前記複数の係合用補助突部は、前記支持基台の上面における前記一対の係合用突条の各々と前記挿入孔との間にそれぞれ設けられ、前記複数の係合用補助凹部は、前記固定用プレートの下面における前記一対の係合用凹部の各々と前記ダウエルピンとの間にそれぞれ設けられていることを特徴とする。
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】変更
【補正の内容】
【００２２】
また、本発明の請求項１６に記載の支持基台では、歯形模型が固定されるとともにダウエルピンが植設された固定用プレートを支持するための支持基台であって、
前記固定用プレートを下方より支持する支持基台本体を備え、前記支持基台本体の上面には、前記固定用プレートの前記ダウエルピンが挿入される挿入孔が設けられ、前記支持基台本体の上面における相互に対向する両側縁の一方には、上方に突出する係合用突部が設けられ、前記係合用突部の内側部には複数の第１突状部が間隔を置いて設けられ、前記複数の第１突状部の間にはそれぞれ第１凹状部が規定され、また前記支持基台の上面における相互に対向する両側縁の他方よりも内側に離れた部位には係合用補助突部が設けられており、
前記固定用プレートが前記支持基台本体の上面に支持されると、前記支持基台本体の前記係合用突部と前記固定用プレートの下面における相互に対向する両側縁の一方に設けられた係合用凹部とが相互に係合され、これにより前記係合用突部の前記第１凹状部は、前記係合用凹部の内側部に間隔を置いて複数設けられた第２突状部と相互に係合されるとともに、前記係合用突部の前記第１突状部は、前記複数の第２突状部の間にそれぞれ規定された第２凹状部と相互に係合され、更に、前記支持基台本体の前記係合用補助突部と前記固定用プレートの下面における相互に対向する両側縁の他方よりも内側に離れた部位に設けられた係合用補助凹部とが相互に係合されることを特徴とする。
【手続補正１７】
【補正対象書類名】明細書
【補正対象項目名】００２３
【補正方法】変更
【補正の内容】
【００２３】
本発明の請求項１に記載の歯科技工用作業模型によれば、支持基台の上面には上方に突出する複数の突部が間隔を置いて設けられ、また固定用プレートの下面には上方に延びる複数の凹部が間隔を置いて設けられている。固定用プレートが支持基台の上面に支持されると、複数の突部と複数の凹部とが相互に係合される。複数の突部（複数の凹部）の配置間隔は、複数の挿入孔（複数のダウエルピン）の配置間隔よりも短く構成されているので、歯科技工用作業模型の製造工程（具体的には、後述する切断工程）において固定用プレートを切断すると、切断した各固定用プレートにおいては、複数の突部と複数の凹部とが相互に係合されるようになる。これにより、切断した固定用プレートと支持基台との水平方向の係合強度を高く保つことができる。
本発明の請求項２に記載の歯科技工用作業模型によれば、複数の突部は支持基台の上面における両側縁よりも内側に離れた位に配設され、複数の凹部は固定用プレートの下面における両側縁よりも内側に離れた部位に配設されているので、切断した固定用プレートと支持基台との水平方向の係合強度を高く保つことができる。
本発明の請求項３に記載の歯科技工用作業模型によれば、複数の突部は複数の挿入孔の両側に設けられ、複数の凹部はダウエルピンの両側に設けられているので、切断した固定用プレートと支持基台との水平方向の係合強度を高く保つことができる。
本発明の請求項４に記載の歯科技工用作業模型によれば、支持基台の上面における相互に対向する両側縁の一方には係合用突部が設けられ、またその他方よりも内側に離れた部位には係合用補助突部が設けられ、これに対応して、固定用プレートの下面における相互に対向する両側縁の一方には係合用凹部が設けられ、またその他方よりも内側に離れた部位には係合用補助凹部が設けられている。係合用突部の内側部には、第１突状部及び第１凹状部が交互に複数設けられ、また係合用凹部の内側部には、第２突状部及び第２凹状部が交互に複数設けられている。固定用プレートが支持基台の上面に支持されると、係合用突部の第１突状部及び第１凹状部がそれぞれ係合用凹部の第２凹状部及び第２突状部と相互に係合されるとともに、係合用補助突部と係合用補助凹部とが相互に係合される。これにより、歯形模型を用いた所要の作業を行う際に、固定用プレートの支持基台に対する回転やぐらつき等を確実に防止することができ、作業効率を高めることができる。
【手続補正１８】
【補正対象書類名】明細書
【補正対象項目名】００２４
【補正方法】変更
【補正の内容】
【００２４】
また、本発明の請求項５に記載の歯科技工用作業模型によれば、係合用補助突部は、支持基台の上面における内周縁よりも内側に離れた部位に設けられ、係合用補助凹部は、固定用プレートの下面における内周縁よりも内側に離れた部位に設けられている。これら係合用補助突部と係合用補助凹部とが相互に係合されることにより、歯科技工用作業模型の製造工程（具体的には、後述する切断工程）において固定用プレートを切断した際に、切断した固定用プレートと支持基台との水平方向の係合強度を高く保つことができる。
【手続補正１９】
【補正対象書類名】明細書
【補正対象項目名】００２５
【補正方法】変更
【補正の内容】
【００２５】
また、本発明の請求項６に記載の歯科技工用作業模型によれば、支持基台の上面における内周縁には、上方に突出する係合用突条が設けられ、これに対応して、固定用プレートの下面における内周縁には、上方に延びる係合用凹条が設けられている。これにより、固定用プレートが支持基台の上面に支持されると、係合用突条と係合用凹条とが相互に係合されるようになり、固定用プレートと支持基台との水平方向の係合強度をより一層高めることができる。
【手続補正２０】
【補正対象書類名】明細書
【補正対象項目名】００２６
【補正方法】変更
【補正の内容】
【００２６】
また、本発明の請求項７に記載の歯科技工用作業模型によれば、支持基台の上面における両側縁の他方には、上方に突出する係合用突条が設けられ、これに対応して、固定用プレートの下面における両側縁の他方には、上方に延びる係合用凹条が設けられている。これにより、固定用プレートが支持基台の上面に支持されると、係合用突条と係合用凹条とが相互に係合されるようになり、固定用プレートと支持基台との水平方向の係合強度をより一層高めることができる。
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】変更
【補正の内容】
【００２８】
また、本発明の請求項８に記載の歯科技工用作業模型によれば、複数の係合用補助突部は、係合用突部に対して略平行に且つ間隔を置いて配置され、複数の係合用補助凹部は、係合用凹部に対して略平行に且つ間隔を置いて配置されているので、複数の係合用補助突部と複数の係合用補助凹部とが相互に係合されることにより、切断工程において切断した固定用プレートと支持基台との水平方向の係合強度をより一層高く保つことができる。
【手続補正２３】
【補正対象書類名】明細書
【補正対象項目名】００２９
【補正方法】変更
【補正の内容】
【００２９】
また、本発明の請求項９に記載の歯科技工用作業模型によれば、係合用突部の第１突状部には、内側に向けて下り傾斜する傾斜面が形成され、これに対応して、係合用凹部の第２凹状部には、内側に向けて下り傾斜する傾斜面が形成されているので、固定用プレートと支持基台との鉛直方向の係合強度が比較的低くなり、固定用プレートの支持基台に対する着脱を容易に行うことができ、作業性を高めることができる。また、第１突状部の傾斜面と第２凹状部の傾斜面とが相互に案内されることにより、固定用プレートの支持基台に対する位置決めを容易に且つ確実に行うことができる。
【手続補正２４】
【補正対象書類名】明細書
【補正対象項目名】００３０
【補正方法】変更
【補正の内容】
【００３０】
また、本発明の請求項１０に記載の歯科技工用作業模型によれば、係合用突部の第１凹状部には、内側に向けて下り傾斜する傾斜面が形成され、これに対応して、係合用凹部の第２突状部には、内側に向けて下り傾斜する傾斜面が形成されているので、固定用プレートと支持基台との鉛直方向の係合強度が比較的低くなり、固定用プレートの支持基台に対する着脱を容易に行うことができ、作業性を高めることができる。また、第１凹状部の傾斜面と第２突状部の傾斜面とが相互に案内されることにより、固定用プレートの支持基台に対する位置決めを容易に且つ確実に行うことができる。
【手続補正２５】
【補正対象書類名】明細書
【補正対象項目名】００３１
【補正方法】変更
【補正の内容】
【００３１】
また、本発明の請求項１１に記載の歯科技工用作業模型によれば、第１突状部に形成された傾斜面の鉛直方向に対する傾斜角度は４０〜６０°であり、また第１凹状部に形成された傾斜面の鉛直方向に対する傾斜角度は５〜１５°であるので、固定用プレートを石膏で形成した場合における第２突状部及び第２凹状部の割れを抑制することができるとともに、固定用プレートと支持基台との鉛直方向の係合強度を適度に保つことができる。
【手続補正２６】
【補正対象書類名】明細書
【補正対象項目名】００３２
【補正方法】変更
【補正の内容】
【００３２】
また、本発明の請求項１２に記載の歯科技工用作業模型によれば、ダウエルピンが植設された第１プレート部が支持される部位においては、係合用突部の第１突状部及び係合用凹部の第２凹状部にはそれぞれ、内側に向けて下り傾斜する傾斜面が形成され、またダウエルピンが植設されない第２プレート部が支持される部位においては、係合用突部の第１突状部及び係合用凹部の第２凹状部にはそれぞれ、内側に向けて上り傾斜する傾斜面又は鉛直方向に延びる鉛直面が形成されているので、第１プレート部が支持される部位においては、第１プレート部と支持基台との鉛直方向の係合強度が比較的低くなり、また第２プレート部が支持される部位においては、第２プレート部と支持基台との鉛直方向の係合強度が比較的高くなる。一般に、歯形模型を用いた所要の作業を行う際には、ダウエルピンが植設された第１プレート部は支持基台に対して着脱して使用するが、ダウエルピンが植設されない第２プレート部は、支持基台より取り外すことなく支持基台に支持させたままで使用する。従って、上述のような構成を具備することにより、第１プレート部の支持基台に対する着脱を容易に行うことができるとともに、作業時における第２プレート部の支持基台からの落下を抑制することができ、歯形模型を用いた所要の作業を効率良く行うことができる。
【手続補正２７】
【補正対象書類名】明細書
【補正対象項目名】００３３
【補正方法】変更
【補正の内容】
【００３３】
また、本発明の請求項１３に記載の歯科技工用作業模型によれば、ダウエルピンが植設された第１プレート部が支持される部位においては、係合用突部の第１突状部及び第１凹状部並びに係合用凹部の第２凹状部及び第２突状部にはそれぞれ、内側に向けて下り傾斜する傾斜面が形成され、またダウエルピンが植設されない第２プレート部が支持される部位においては、係合用突部の第１突状部及び第１凹状部並びに係合用凹部の第２凹状部及び第２突状部にはそれぞれ、内側に向けて上り傾斜する傾斜面又は鉛直方向に延びる鉛直面が形成されているので、第１プレート部が支持される部位においては、第１プレート部と支持基台との鉛直方向の係合強度が比較的低くなり、また第２プレート部が支持される部位においては、第２プレート部と支持基台との鉛直方向の係合強度が比較的高くなる。一般に、歯形模型を用いた所要の作業を行う際には、ダウエルピンが植設された第１プレート部は支持基台に対して着脱して使用するが、ダウエルピンが植設されない第２プレート部は、支持基台より取り外すことなく支持基台に支持させたままで使用する。従って、上述のような構成を具備することにより、第１プレート部の支持基台に対する着脱を容易に行うことができるとともに、作業時における第２プレート部の支持基台からの落下を抑制することができ、歯形模型を用いた所要の作業を効率良く行うことができる。
【手続補正２８】
【補正対象書類名】明細書
【補正対象項目名】００３４
【補正方法】変更
【補正の内容】
【００３４】
また、本発明の請求項１４に記載の歯科技工用作業模型によれば、支持基台の上面における相互に対向する両側縁にはそれぞれ上方に突出する係合用突条が設けられ、固定用プレートの下面における相互に対向する両側縁にはそれぞれ上方に延びる係合用凹条が設けられている。また、支持基台の上面における一対の係合用突条の間には複数の係合用補助突部が設けられ、固定用プレートの下面における一対の係合用凹条の間には複数の係合用補助凹部が設けられている。固定用プレートが支持基台の上面に支持されると、一対の係合用突条と一対の係合用凹条とが相互に係合されるとともに、複数の係合用補助突部と複数の係合用補助凹部とが相互に係合されるので、固定用プレートと支持基台との水平方向の係合強度を高めることができる。これにより、歯形模型を用いた所要の作業を行う際に、固定用プレートの支持基台に対する回転やぐらつき等を確実に防止することができ、作業効率を高めることができる。
【手続補正２９】
【補正対象書類名】明細書
【補正対象項目名】００３５
【補正方法】変更
【補正の内容】
【００３５】
また、本発明の請求項１５に記載の歯科技工用作業模型によれば、複数の係合用補助突部は、支持基台の上面における一対の係合用突条の各々と挿入孔との間にそれぞれ設けられ、複数の係合用補助凹部は、固定用プレートの下面における一対の係合用凹部の各々とダウエルピンとの間にそれぞれ設けられているので、複数の係合用補助突部と複数の係合用補助凹部とが相互に係合されることにより、切断工程において切断した固定用プレートと支持基台との水平方向の係合強度をより一層高く保つことができる。
【手続補正３０】
【補正対象書類名】明細書
【補正対象項目名】００３６
【補正方法】削除
【補正の内容】
【手続補正３１】
【補正対象書類名】明細書
【補正対象項目名】００３７
【補正方法】変更
【補正の内容】
【００３７】
また、本発明の請求項１６に記載の支持基台によれば、支持基台の上面における相互に対向する両側縁の一方には係合用突部が設けられ、またその他方よりも内側に離れた部位には係合用補助突部が設けられている。係合用突部の内側部には、第１突状部及び第１凹状部が交互に複数設けられている。固定用プレートが支持基台本体の上面に支持されると、支持基台本体の係合用突部と固定用プレートに設けられた係合用凹部とが相互に係合され、これにより係合用突部の第１突状部及び第１凹状部はそれぞれ、係合用凹部の内側部に交互に複数設けられた第２凹状部及び第２突状部と相互に係合され、更に、支持基台本体の係合用補助突部と固定用プレートに設けられた係合用補助凹部とが相互に係合されるので、固定用プレートと支持基台本体との水平方向の係合強度を高めることができる。これにより、歯形模型を用いた所要の作業を行う際に、固定用プレートの支持基台本体に対する回転やぐらつき等を確実に防止することができ、作業効率を高めることができる。
【手続補正３２】
【補正対象書類名】明細書
【補正対象項目名】００４１
【補正方法】変更
【補正の内容】
【００４１】
支持基台１０は支持基台本体１２を備え、この支持基台本体１２は、例えばポリエチレン樹脂やポリプロピレン樹脂、ナイロン樹脂、ウレタン樹脂などの合成樹脂から形成されている。この支持基台本体１２は、横長且つ筒状の周側壁１４と、周側壁１４の上側を覆う横長の上壁１６と、を有している。上壁１６の上面（支持基台１０の上面を規定する）には、その長手方向（図１及び図２において左下から右上の方向）に間隔を置いて５個の挿入孔１８が設けられている。周側壁１４の内側に形成された空間２０には、各挿入孔１８に対応して上壁１６の下面から下方に延びる筒状突部２２が設けられており、各挿入孔１８はこの筒状突部２２の内部を貫通して設けられている（図５参照）。なお、各挿入孔１８は、筒状突部２２の上端部から下端部に向けて内径が漸減するテーパ状に形成されている。
【手続補正３３】
【補正対象書類名】明細書
【補正対象項目名】００４４
【補正方法】変更
【補正の内容】
【００４４】
また、上壁１６の上面における他側縁よりも内側に離れた部位（具体的には、上壁１６の上面における他側縁と挿入孔１８との間の部位）には、複数の係合用補助突部３３が設けられている。複数の係合用補助突部３３は、係合用突部２４に対して略平行に且つ間隔を置いて配置されている。係合用補助突部３３の突出高さは、係合用突部２４の突出高さＨと同程度又はこれよりも幾分低く構成されている。なお、本実施形態では、係合用補助突部３３は平面視で長方形状に構成されており、その長さは例えば約３ｍｍに構成されている。また、係合用補助突部３３の配置間隔（例えば約４ｍｍ）は、挿入孔１８の配置間隔（例えば約９ｍｍ）よりも短く構成されており、これにより隣接する一対の挿入孔１８の間に対応して、例えば１〜４個（好ましくは２〜３個）の係合用補助突部３３が配設されるようになる。
【手続補正３４】
【補正対象書類名】明細書
【補正対象項目名】００４５
【補正方法】変更
【補正の内容】
【００４５】
また、周側壁１４の外周面には、挿入孔１８に対応して（換言すると、固定用プレート６のダウエルピン８に対応して）位置決め用突部３４が設けられている。この位置決め用突部３４は、挿入孔１８を挟んでそれらの両側にそれぞれ配設されている。
【手続補正３５】
【補正対象書類名】明細書
【補正対象項目名】００４９
【補正方法】変更
【補正の内容】
【００４９】
また、固定用プレート６の下面における他側縁よりも内側に離れた部位（具体的には、固定用プレート６の下面における他側縁とダウエルピン８との間の部位）には、複数の係合用補助凹部４５が設けられている。複数の係合用補助凹部４５は、複数の係合用補助突部３３に対応して、係合用凹部３６に対して略平行に且つ間隔を置いて配置されている。なお、本実施形態では、係合用補助凹部４５は平面視で長方形状に構成されており、その長さは例えば約３ｍｍに構成されている。また、係合用補助凹部４５の配置間隔（例えば約４ｍｍ）は、ダウエルピン８の配置間隔（例えば約９ｍｍ）よりも短く構成されており、これにより隣接する一対のダウエルピン８の間に対応して、例えば１〜４個（好ましくは２〜３個）の係合用補助凹部４５が配設されるようになる。
【手続補正３６】
【補正対象書類名】明細書
【補正対象項目名】００５４
【補正方法】変更
【補正の内容】
【００５４】
その後に、図８に示すように、固定用プレート６を成型するための石膏５２を注入空間５０に注入する（プレート成型工程）。この石膏５２は、ダウエルピン８の基端部が石膏５２に完全に浸漬されるまで注入される。このとき、支持基台本体１２の上壁１６の両端部には係合用突部２４及び係合用突条２５が設けられていないので、注入した石膏５２が上壁１６の両端部に流れるようになり、石膏５２を上壁１６の全域にほぼ均一に注入することができる。注入空間５０内の石膏５２が硬化することにより、ダウエルピン８が植設され且つ係合用凹部３６、係合用凹条３７及び複数の係合用補助凹部４５が形成された固定用プレート６が成型される。その後、成型用基枠４６を支持基台本体１２の上部から取り外し、固定用プレート６の上面に例えば研削加工を施して平坦となるように加工する（加工工程）。この加工は、固定用プレート６を支持基台本体１２の上面に支持させた状態で行われ、ダウエルピン８の基端面が外部に露出するまで行う。
【手続補正３７】
【補正対象書類名】明細書
【補正対象項目名】００６７
【補正方法】変更
【補正の内容】
【００６７】
従って、本実施形態の歯科技工用作業模型２Ｂでは、上述のような構成により、第１プレート部５８Ｂの支持基台本体１２Ｂに対する着脱を容易に行うことができるとともに、作業時における第２プレート部６０Ｂの支持基台本体１２Ｂからの落下をより効果的に抑制することができるので、歯形模型（図示せず）を用いた所要の作業をより一層効率良く行うことができる。
［第４の実施形態］
次に、図１２及び図１３を参照して、第４の実施形態の歯科技工用作業模型及びこれに用いる支持基台について説明する。図１２は、本発明の第４の実施形態による歯科技工用作業模型を示す分解斜視図であり、図１３（ａ）は、図１２の支持基台の上面を示す図であり、図１３（ｂ）は、その固定用プレートの下面を示す図である。
【手続補正３８】
【補正対象書類名】明細書
【補正対象項目名】００７１
【補正方法】変更
【補正の内容】
【００７１】
従って、本実施形態の歯科技工用作業模型２Ｃにおいても、上述したのと同様の作用効果が達成される。また、固定用プレート６Ｃを支持基台本体１２Ｃの上面に支持させると、複数の係合用補助突部３３Ｃと複数の係合用補助凹部４５Ｃとが相互に係合され、これにより次のような作用効果が達成される。切断工程において、図１３（ｂ）中の一点鎖線で示す切断線７４に沿って固定用プレート６Ｃを切断すると、略扇形状のプレート部７６が形成される。このプレート部７６の内周縁側においては、２つの係合用補助突部３３Ｃと２つの係合用補助凹部４５Ｃとが相互に係合されるとともに、係合用突条２５Ｃと係合用凹条３７Ｃとが相互に係合されることにより、プレート部７６と支持基台本体１２との水平方向の係合強度を高く保つことができる。
【手続補正３９】
【補正対象書類名】明細書
【補正対象項目名】００７４
【補正方法】変更
【補正の内容】
【００７４】
本実施形態の歯科技工用作業模型では、歯形模型（図示せず）は全顎タイプのものから構成されている。支持基台本体１２Ｅの上壁１６Ｅの上面における内周縁には、上述した係合用突条は設けられておらず、支持基台１０Ｅの他の構成については、上記第４の実施形態と同様である。また、固定用プレート６Ｅの下面における内周縁には、上述した係合用凹条は設けられておらず、固定用プレート６Ｅの他の構成については、上記第４の実施形態と同様である。本実施形態においても、上記第４の実施形態と同様の作用効果が達成される。
［第７の実施形態］
次に、図１６を参照して、第７の実施形態の歯科技工用作業模型及びこれに用いる支持基台について説明する。図１６（ａ）は、本発明の第７の実施形態による歯科技工用作業模型の支持基台の上面を示す図であり、図１６（ｂ）は、その固定用プレートの下面を示す図である。
【手続補正４０】
【補正対象書類名】明細書
【補正対象項目名】００７５
【補正方法】変更
【補正の内容】
【００７５】
本実施形態の歯科技工用作業模型では、歯形模型（図示せず）は全顎タイプのものから構成されている。支持基台本体１２Ｆの上壁１６Ｆの上面における外周縁及び内周縁にはそれぞれ、弧状に延びる係合用突条７８，２５Ｃが設けられている。これら係合用突条７８，２５Ｃの内側部には、上述した係合用突部のように複数の第１突状部及び複数の第１凹状部は設けられていない。これに対応して、固定用プレート６Ｆの下面における外周縁及び内周縁にはそれぞれ、弧状に延びる係合用凹条８０，３７Ｃが設けられている。これら係合用凹条８０，３７Ｃの内側部には、上述した係合用凹部のように複数の第２突状部及び複数の第２凹状部は設けられていない。
【手続補正４１】
【補正対象書類名】明細書
【補正対象項目名】００７６
【補正方法】変更
【補正の内容】
【００７６】
また、支持基台本体１２Ｆの上壁１６Ｆの上面における内周縁よりも内側に離れた部位（具体的には、上壁１６Ｆの上面における内周縁と挿入孔１８との間の部位）に複数の係合用補助突部３３Ｃが設けられているとともに、支持基台本体１２Ｆの上壁１６Ｆの上面における外周縁よりも内側に離れた部位（具体的には、上壁１６Ｆの上面における外周縁と挿入孔１８との間の部位）に複数の係合用補助突部８２が設けられている。これら複数の係合用補助突部３３Ｃ，８２はそれぞれ、係合用突条２５Ｃ，７８に対して略平行に且つ間隔を置いて配置されている。支持基台１０Ｆの他の構成については、上記第４の実施形態と同様である。
また、固定用プレート６Ｆの下面における内周縁よりも内側に離れた部位（具体的には、固定用プレート６Ｆの下面における内周縁とダウエルピン８との間の部位）に複数の係合用補助凹部４５Ｃが設けられているとともに、固定用プレート６Ｆの下面における外周縁よりも内側に離れた部位（具体的には、固定用プレート６Ｆの下面における外周縁とダウエルピン８との間の部位）に複数の係合用補助凹部８４が設けられている。これら複数の係合用補助凹部４５Ｃ，８４はそれぞれ、係合用凹条３７Ｃ，８０に対して略平行に且つ間隔を置いて配置されている。固定用プレート６Ｆの他の構成については、上記第４の実施形態と同様である。
【手続補正４２】
【補正対象書類名】明細書
【補正対象項目名】００７８
【補正方法】変更
【補正の内容】
【００７８】
本実施形態の歯科技工用作業模型では、歯形模型（図示せず）は部分タイプのものから構成されている。支持基台本体１２Ｇの上壁１６Ｇの上面における両側縁にはそれぞれ、上壁１６Ｇの長手方向に延びる係合用突条２５，７８Ｇが設けられている。これら係合用突条２５，７８Ｇの内側部には、上述した係合用突部のように複数の第１突状部及び複数の第１凹状部は設けられていない。これに対応して、固定用プレート６Ｇの下面における両側縁にはそれぞれ、固定用プレート６Ｇの長手方向に延びる係合用凹条３７，８０Ｇが設けられている。これら係合用凹条３７，８０Ｇの内側部には、上述した係合用凹部のように複数の第２突状部及び複数の第２凹状部は設けられていない。
【手続補正４３】
【補正対象書類名】明細書
【補正対象項目名】００７９
【補正方法】変更
【補正の内容】
【００７９】
支持基台本体１２Ｇの上壁１６Ｇの上面における一側縁よりも内側に離れた部位（具体的には、上壁１６Ｇの上面における一側縁と挿入孔１８との間の部位）に複数の係合用補助突部３３が設けられているとともに、支持基台本体１２Ｇの上壁１６Ｇの上面における他側縁よりも内側に離れた部位（具体的には、上壁１６Ｇの上面における他側縁と挿入孔１８との間の部位）に複数の係合用補助突部８２Ｇが設けられている。これら複数の係合用補助突部３３，８２Ｇはそれぞれ、係合用突条２５，７８Ｇに対して略平行に且つ間隔を置いて配置されている。支持基台１０Ｇの他の構成については、上記第１の実施形態と同様である。
【手続補正４４】
【補正対象書類名】明細書
【補正対象項目名】００８３
【補正方法】変更
【補正の内容】
【００８３】
本実施形態の歯科技工用作業模型では、歯形模型（図示せず）は全顎タイプのものから構成されている。支持基台本体１２Ｊの上壁１６Ｊの上面において、複数の挿入孔１８の両側にはそれぞれ、上方に延びる複数の突部８６，８８が設けられている。即ち、支持基台本体１２Ｊの上壁１６Ｊの上面における内周縁よりも内側に離れた部位に複数の突部８６が設けられているとともに、支持基台本体１２Ｊの上壁１６Ｊの上面における外周縁よりも内側に離れた部位に複数の突部８８が設けられている。これら複数の突部８６，８８はそれぞれ、複数の挿入孔１８の配設方向に対して略平行に且つ間隔を置いて配置されている。また、複数の突部８６，８８の配置間隔Ｄ１（例えば約４ｍｍ）は、複数の挿入孔１８の配置間隔Ｄ２（例えば約９ｍｍ）よりも短く構成されており、これにより隣接する一対の挿入孔１８の間に対応して、１〜４個（好ましくは２〜３個）の突部８６，８８が配設されるようになる。なお、支持基台本体１２Ｊの上壁１６Ｊの上面における両周縁には、上述した係合用突部や係合用突条は設けられておらず、支持基台１０Ｊの他の構成については、上記第４の実施形態と同様である。
【手続補正４５】
【補正対象書類名】図面
【補正対象項目名】図５
【補正方法】変更
【補正の内容】
【図５】
2012143424.tif 000001
【手続補正４６】
【補正対象書類名】図面
【補正対象項目名】図７
【補正方法】変更
【補正の内容】
【図７】
2012143424.tif 000002
【手続補正４７】
【補正対象書類名】図面
【補正対象項目名】図８
【補正方法】変更
【補正の内容】
【図８】
2012143424.tif 000003